(57)【要約】【課題】マルチフィルムの左右方向中途部上に確実に一定量の土を安定して供給することのできる畝立てマルチャを提供する。【解決手段】爪軸に装着された耕耘爪を爪軸の軸心回りに回転させることで土を耕耘するロータリ耕耘部９と、このロータリ耕耘部９の後方に配置されていて畝を整形する畝整形器と、この畝整形器の後方に配置されていて整形された畝にマルチフィルムを敷設するフィルム敷設装置と、ロータリ耕耘部９で耕耘された土をマルチフィルムＦ上に送る土送り装置６とを備え、土送り装置６は、前端側がロータリ耕耘部９で耕耘された耕土Ｅに差し込まれていると共に後方に向かうに従って上方に移行する傾斜状に設けられたガイド板５５と、このガイド板５５の上面側を後方に移送されることによりガイド板５５上の土を後方に搬送する移送体６６とを備えていて、ガイド板５５の後端側から畝Ｒに敷設されたマルチフィルムＦ上に土を供給するように構成する。【選択図】　　　図１
2004089022.tif 000002
【特許請求の範囲】
【請求項１】
爪軸に装着された耕耘爪を爪軸の軸心回りに回転させることで土を耕耘するロータリ耕耘部と、このロータリ耕耘部の後方に配置されていて畝を整形する畝整形器と、この畝整形器の後方に配置されていて整形された畝にマルチフィルムを敷設するマルチフィルム敷設装置と、ロータリ耕耘部で耕耘された土をマルチフィルム上に送る土送り装置とを備え、土送り装置は、前端側がロータリ耕耘部で耕耘された耕土に差し込まれていると共に後方に向かうに従って上方に移行する傾斜状に設けられたガイド板と、このガイド板の上面側を後方に移送されることによりガイド板上の土を後方に搬送する移送体とを備えていて、ガイド板の後端側から畝に敷設されたマルチフィルム上に土を供給するように構成されていることを特徴とする畝立てマルチャ。
【請求項２】
ガイド板の上面側の土搬送空間は、ガイド板の前部側において左右両側が開放状とされ、ガイド板の後部側において左右両側が閉塞状とされていることを特徴とする請求項１に記載の畝立てマルチャ。
【請求項３】
畝整形器は、畝の左右の側面を形成する左右の側板と、畝の上面を形成する上板とを備え、土送り装置は、左右側板間の中央部に配置され、上板は、土送り装置の左右両側に配置されていることを特徴とする請求項１又は２に記載の畝立てマルチャ。
【請求項４】
ガイド板の前部は、前方に向かうに従って、左右の幅が漸次狭くなるように形成されていることを特徴とする請求項１〜３のいずれかに記載の畝立てマルチャ。
【請求項５】
移送体は、ガイド板の前部側に配置されたスプロケットと、ガイド板の後部側に配置されたスプロケットとに亘って掛装されたチェーンに、長手方向に所定間隔をおいて取り付けられていることを特徴とする請求項１〜４のいずれかに記載の畝立てマルチャ。
【請求項６】
ガイド板の後部は、マルチフィルムが巻回されたフィルムロール上方側で、後方に向かうに従って下方に移行する傾斜状とされていることを特徴とする請求項１〜５のいずれかに記載の畝立てマルチャ。
【発明の詳細な説明】
【０００１】
【発明の属する技術分野】
本発明は、耕耘と、畝立てと、マルチフィルムの敷設とを一工程で行うようにした畝立てマルチャに関するものである。
【０００２】
【従来の技術】
従来、トラクタの後部に、前側から順に、ロータリ耕耘装置と、畝整形器と、マルチフィルム敷設装置とを備えた畝立てマルチャを装着し、走行しながら、耕耘し、畝立てをし、該畝にマルチフィルムを敷設するようにしたものが、特公平１−５９８５６号公報にて開示されている。
この畝立てマルチャにあっては、複数個の畝整形器を左右方向に備えていて、一工程で複数の畝が形成される。
【０００３】
また、マルチフィルムを押さえるために、ロータリ耕耘部で耕耘された土を畝間の溝に送る土送り装置を備えている。
この土送り装置は、ロータリ耕耘部の後方に配置された揚土装置と、揚土装置で持ち上げられた土を畝間の溝に案内する配土シュートとを備えている。
揚土装置は、ベルトコンベヤによって構成され、後方に向かうに従って上方に移行する傾斜状に配置されており、この揚土装置の下部において、ロータリ耕耘部で耕耘された土をベルト上に載せて上方に移送し、上端側で土を配土シュートに落とし、配土シュートによって畝間の溝に落とし込むように構成されている。
【０００４】
なお、ベルト上には、土が滑り落ちないように、ラグが長手方向に所定間隔をおいて設けられている。
【０００５】
【発明が解決しようとする課題】
畝整形器として平畝用畝整形器が採用された畝立てマルチャによって敷設されたマルチフィルムにあっては、該マルチフィルムがばたつかないように、マルチフィルムの左右方向中途部上に土を載せるようにしているが、この作業は、マルチフィルムの敷設作業に平行して、作業者が行っており、このマルチフィルム上に載せる土の供給を自動化したいという要望がある。
そこで、前述した畝立てマルチャの土送り装置を採用することが考えられるが、この土送り装置にあっては、揚土装置の下部において、ベルト上にロータリ耕耘部で耕耘された土を載せるようにしているので、確実に一定量の土を安定して供給できないという問題がある。
【０００６】
すなわち、ロータリ耕耘部で後方に放擲される土をベルト上に載せるようにしているので、耕耘状態（放擲状態）によってベルト上に載る土の量がまちまちであるからである。
本発明は、前記問題点に鑑みて、マルチフィルムの左右方向中途部上に確実に一定量の土を安定して供給することのできる畝立てマルチャを提供することを目的とする。
【０００７】
【課題を解決するための手段】
本発明が技術的課題を解決するために講じた技術的手段は、爪軸に装着された耕耘爪を爪軸の軸心回りに回転させることで土を耕耘するロータリ耕耘部と、このロータリ耕耘部の後方に配置されていて畝を整形する畝整形器と、この畝整形器の後方に配置されていて整形された畝にマルチフィルムを敷設するマルチフィルム敷設装置と、ロータリ耕耘部で耕耘された土をマルチフィルム上に送る土送り装置とを備え、土送り装置は、前端側がロータリ耕耘部で耕耘された耕土に差し込まれていると共に後方に向かうに従って上方に移行する傾斜状に設けられたガイド板と、このガイド板の上面側を後方に移送されることによりガイド板上の土を後方に搬送する移送体とを備えていて、ガイド板の後端側から畝に敷設されたマルチフィルム上に土を供給するように構成されていることを特徴とする。
【０００８】
また、ガイド板の上面側の土搬送空間は、ガイド板の前部側において左右両側が開放状とされ、ガイド板の後部側において左右両側が閉塞状とされているのがよい。
また、畝整形器は、畝の左右の側面を形成する左右の側板と、畝の上面を形成する上板とを備え、土送り装置は、左右側板間の中央部に配置され、上板は、土送り装置の左右両側に配置されているのがよい。
また、ガイド板の前部は、前方に向かうに従って、左右の幅が漸次狭くなるように形成されていてもよい。
【０００９】
また、移送体は、ガイド板の前部側に配置されたスプロケットと、ガイド板の後部側に配置されたスプロケットとに亘って掛装されたチェーンに、長手方向に所定間隔をおいて取り付けられて構成されていてもよい。
また、ガイド板の後部は、マルチフィルムが巻回されたフィルムロール上方側で、後方に向かうに従って下方に移行する傾斜状とされているのがよい。
【００１０】
【発明の実施の形態】
以下、本発明の実施の形態を図面を参照して説明する。
図２〜図４において、１は、ロータリ耕耘作業と、畝立て作業と、マルチフィルムの敷設作業とを同時作業（一工程）で一挙に行えるようにした畝立てマルチャであり、この畝立てマルチャ１は、走行体として例示するトラクタ２の後部に昇降自在に装着されている。
畝立てマルチャ１は、ロータリ耕耘装置３と、畝整形器４と、マルチフィルム敷設装置５と、土送り装置６とを備えている。
【００１１】
ロータリ耕耘装置３は、本実施の形態では、センタードライブ式ロータリが採用され、ギヤケース７と、このギヤケース７から下方に突出する伝動ケース８と、この伝動ケース８の下部に設けられたロータリ耕耘部９と、耕耘カバー１０とを有する。
ギヤケース７には、トラクタ２のＰＴＯ軸に、ユニバーサルジョイントを介して連動連結されるＰＩＣ軸１１が設けられ、このＰＩＣ軸１１によってＰＴＯ軸からギヤケース７内の動力伝達機構に動力が伝達される。
【００１２】
また、ギヤケース７の左右両側には、それぞれ連結ブラケット１２が固定され、この連結ブラケット１２の前部はギヤケース７から前方に突出状とされていて、トラクタ２の車体後部に固定されたブラケット１３のヒッチ部１４に左右方向の軸心回りに回動自在に枢支連結されている。
また、トラクタ２の後部には、作業機昇降用の油圧装置１６が設けられ、この油圧装置１６は、左右一対のリフトアーム１７を備え、左右のリフトアーム１７は、リフトロッド１８を介して左右の連結ブラケット１２に連結されており、左右のリフトアーム１７が上下揺動することにより、畝立てマルチャ１がヒッチ部１４回りに昇降するように構成されている。
【００１３】
また、左右の連結ブラケット１２には、トップマスト１９が上方突出状に固定されている。
ロータリ耕耘部９は、伝動ケース８の下部から左右に突出された左右一対の爪軸２０と、この爪軸２０上に取付固定された多数の耕耘爪２１とを有し、爪軸２０を軸心回りに回転駆動することにより、耕耘爪２１が、爪軸２０の軸心回りに回転して土中に突入し、土が耕起されると共に砕土されるように構成されている。
【００１４】
このロータリ耕耘装置３は、耕耘爪２１が土に対して下向きに回転切削してダウンカット耕耘するダウンカットロータリによって構成されており、耕耘爪２１は、図２の矢示Ａ方向に回転する。
また、トラクタ２のＰＴＯ軸からユニバーサルジョイントを介してギヤケース７内の動力伝達機構に伝達された動力は、伝動ケース８内の動力伝達機構を経て爪軸２０に伝達され、該爪軸２０が矢示Ａ方向に回転駆動されるようになっている。
【００１５】
また、ロータリ耕耘部９の耕耘爪２１の配列は、左右方向中央側に、耕耘した土が寄せられるような爪配列とされている。
耕耘カバー１０は、主としてロータリ耕耘部９の上方を覆うものであり、ギヤケース７、伝動ケース８等とは連結されていない。
一方、前記連結ブラケット１２には、左右一対の前リンク２２及び後リンク２３と、調整杆２４を介して支持フレーム２５が連結され、この支持フレーム２５に、耕耘カバー１０が固定されていると共に、畝整形器４及びマルチフィルム敷設装置５が取り付けられている。
【００１６】
支持フレーム２５は、前後の横枠材２７，２８と、この前後の横枠材２７，２８を連結する左右の側枠材２９とを有する。
左右の各側枠材２９の前部には、連結材３０が固定され、左右の連結材３０の前部は横材３１によって相互に連結されていると共に、左右の連結材３０は、耕耘カバー１０の上面に溶接等によって固定されている。
前横枠材２７には、装着ブラケット３３が上方突出状に固定され、この装着ブラケット３３に左右の前リンク２２及び左右の後リンク２３の上部が左右方向の軸心廻りに回動自在に枢着され、左右の前リンク２２及び左右の後リンク２３の下部は、左右の連結ブラケット１２に左右方向の軸心廻りに回動自在に枢着されている。
【００１７】
調整杆２４は、伸縮自在に構成されていると共に、左右の後リンク２３の中途部を連結する連結パイプ３４とトップマスト１９とに亘って設けられ、この調整杆２４を、ハンドル３５の回動操作によって、伸縮させることにより、支持フレーム２５が上下に揺動可能とされている。
なお、本実施の形態では、支持フレーム２５は、爪軸２０を略中心として揺動可能とされている。
畝整形器４は、ロータリ耕耘部９で耕耘された土で畝Ｒを立てるものであり、畝Ｒの左右の側面を形成する左右の側板３８と、畝Ｒの上面を形成する上板３９とを備えていて前後及び下方に開放状に形成されており、取付フレーム４０によって支持フレーム２５に取り付けられて支持されている。
【００１８】
また、この畝整形器４には、左右の各側板３８の前部に、左右方向外方に張り出し状に設けられていて、ロータリ耕耘部９で耕耘された土を畝整形器４の前端開口に案内するガイド板４１が備えられている。
また、畝整形器４の左右方向中央部には、土送り装置６が配置され、この土送り装置６の左右両側に上板３９が配置されており、したがって、上板３９は左右一対設けられている。
また、上板３９の前部は、取付フレーム４０に設けられた左右方向の軸心を有する支軸４６に、該支軸４６の軸心回りに回動自在に支持されており、畝整形器４には、上板３９の後部を下方に付勢する弾下機構が設けられている。
【００１９】
取付フレーム４０は、左右各側板３８の左右方向外方側にそれぞれ設けられ、後横枠材２８から下方に延出された縦枠材４２と、この縦枠材４２の下部に前後方向に設けられた側枠材４３とを有し、この側枠材４３の前端側がガイド板４１等に溶接等によって固定されている。
また、側枠材４３には、支持部材４４を介して支持輪４５（ゲージ輪）が左右方向の軸心廻りに回動自在に支持されている。
マルチフィルム敷設装置５は、マルチフィルムＦが巻回されたフィルムロール４８を左右方向の軸心廻りに回転自在に支持するロールホルダ４９と、フィルムロール４８から巻出されたマルチフィルムＦをガイドするフィルムガイド５０と、畝Ｒの左右両側においてマルチフィルムＦのすそを押さえてマルチフィルムＦの巻出しを助けるマルチフィルムフィルム押さえ車輪５１と、マルチフィルムの左右のすそを覆土する覆土器５２と、これらを支持すると共に支持フレーム２５に取付固定された取付杆５３とを左右一対有する。
【００２０】
土送り装置６は、前述したように、畝整形器４の左右方向中央部に配置されており、図１、図３、図５及び図６に示すように、土を後上方に案内するガイド板５５と、土をガイド板５５に沿って搬送する搬送装置５６と、カバー体５７とを有し、取付フレーム５８によって支持フレーム２５に取り付けられている。
取付フレーム５８は、土送り装置６の前後方向中途部の左右両側に位置する左右の側枠材５９と、ガイド板５５の下方側を左右方向に横切ると共に左右側枠材５９の下端側同志を連結する連結枠材６０と、取付フレーム５８を支持フレームの後横枠材２８に取り付ける左右の取付体６１とを有し、左右の取付体６１に左右の側枠材５９の上端が溶接等によって固定されている。
【００２１】
ガイド板５５は、ロータリ耕耘部９の左右方向中央側の後方で且つ畝整形器４の前部の左右方向中央側から、後方に向かうに従って上方に移行する傾斜状に形成されている（配置されている）と共に、フィルムロール４８の上方で、後方に向かうに従って下方に移行する傾斜状に屈曲されている。
ガイド板５５の前端は、ロータリ耕耘部９で耕耘された耕土Ｅに差し込まれて土に食い込んでおり、ガイド板５５の後端は、フィルムロール４８の後部側上方に位置している。
【００２２】
また、ガイド板５５の前部の左右両側は下側に向けて屈曲されていると共に、ガイド板５５の前部は、前方側に向かうに従って漸次左右幅が狭くなるテーパ形状に形成されている。
また、ガイド板５５の下面前部には、前端から取付フレーム５８の連結枠材６０に至る補強板６２が溶接等により固定され、この補強板６２は連結枠材６０に溶接等により固定されている。
搬送装置５６は、フレーム６４と、移送機構６５と、移送体６６と、モータ６７（駆動手段）とを有する。
【００２３】
フレーム６４は、ガイド板５５の上面側にガイド板５５に沿って傾斜状に配置されており、左右一対の側板６８と、前後の連結板６９，７０と、カバー板７１とを有し、左右の側板６８が、取付フレーム５８の左右側枠材５９に取付固定されている。
左右の側板６８はガイド板５５の上面と所定間隔をおいて配置され、前側の連結板６９は、左右側板６８間の前端の下部側が前方に開放状となるように、左右側板６８の前端同志を連結しており、後側の連結板７０は、左右側板６８間の後端を塞ぐように、左右側板６８の後端同志を連結している。
【００２４】
移送機構６５は、上下一対のスプロケット７４，７５（伝動輪）と、該一対のスプロケット７４，７５に亘って掛装されたチェーン７６（索体）とを有する。
上側のスプロケット７４は、ガイド板５５の後部側に配置され、左右側板６８に亘って設けられた左右方向の軸心を有する支軸７７に、該支軸７７の軸心回りに回転自在に支持されており、下側のスプロケット７５は、ガイド板５５の前部側に配置され、左右側板６８に亘って設けられた左右方向の軸心を有する支軸７８に、該支軸７８の軸心回りに回転自在に支持されている。
【００２５】
移送体６６は、フレーム６４の左右側板６８間の寸法に略一致する左右幅に形成されたゴム板（弾性板）等の板材（硬質のものでもかまわない）によって構成され、チェーン７６の長手方向に所定間隔をいて配置され、取付部材７９によってチェーン７６のリンクに一側が取付固定されている。
カバー板７１は、左右側板６８間の前部上方を覆っている。
フレーム６４の後連結板７０には、取付板８０が固定され、この取付板８０に減速機８１を介してモータ８２が固定されている。
【００２６】
モータ８２の動力は減速機８１を介して出力軸８３から出力され、この出力軸８３には、駆動スプロケット８４が設けられ、この駆動スプロケット８４と従動スプロケット８５とに亘ってチェーン８６が掛装され、従動スプロケット８５は、側板６８から突出する上側の支軸７７に一体回転可能に取り付けられている。
したがって、モータ８２の動力は、出力軸８３、駆動スプロケット８４、チェーン８６、従動スプロケット８５を経て支軸７７に伝達され、支軸７７が回転駆動されることにより、移送機構６５のチェーン７６が、図１の矢示Ｂ方向に循環回走され、これによって、移送体６６が、移送機構６５の下部側において、ガイド板５５の上面の上側を、ガイド板５５に沿ってガイド板５５前部から後上方に向けて移送され、また、移送体６６は、移送機構６５の後端部（終端部）において、折り返されて、前方に移送され、移送機構６５によって循環回走される。
【００２７】
カバー体５７は、左右の側壁８８と、前後一対の上壁８９，９０と、前壁９１とを有して下方開放状に形成され、ガイド板５５の後部側において、搬送装置５６を覆うように設けられている。
左右の側壁８８は、搬送装置５６のフレーム６４の側板６８と共に、取付フレーム５８の左右側枠材５９に取付固定されている。
前後の上壁８９，９０は前後に間隔をおいて設けられていて、前後の上壁８９，９０間は開口状とされ、この開口部分からモータ６７等が突出している。
【００２８】
また、後側の上壁９０は、後方に向かうに従って下方に移行する傾斜状に形成されていると共に、後側の上壁９０の下端部は、ガイド板５５の後端部と間隔が空けられており、この後側の上壁９０の下端部と、ガイド板５５の後端部との間が排土口９２とされている。
また、ガイド板５５の上部側の左右両側は上側に屈曲されてカバー体５７の左右の側壁８８に取付固定されており、したがって、ガイド板５５と、搬送装置５６のフレーム６４との間の空間部８７（ガイド板５５上面側の土搬送空間）の後部側の左右両側は閉塞状とされており、ガイド板５５と、搬送装置５６のフレーム６４との間の空間部８７の前部側の左右両側は開放状とされている。
【００２９】
前記構成の土送り装置６にあっては、トラクタ２が前進することにより、ロータリ耕耘部９で耕耘された耕土Ｅが、ガイド板５５前端側からガイド板５５上に押し上げられる（取り込まれる）。
このとき、ガイド板５５と、搬送装置５６のフレーム６４との間の空間部８７の前部側の左右両側は開放状とされていることから、余分な土はガイド板５５上から左右両側に排出され、土送り装置６の前部側に詰まるような多量の土がガイド板５５上に押し上げられることがない。
【００３０】
そして、ガイド板５５の前部上の土は、ガイド板５５に沿って後上方に移送される移送体６６によって、後上方に搬送され、ガイド板５５の後端側に至る。
なお、このとき、移送体６６の先端側はガイド板５５上面に摺接させるのがよい。
ガイド板５５の後端側に至った土は、後続の土に押されて、ガイド板５５の後端（排土口９２）から、押し出されて、畝Ｒの左右方向中央部のマルチフィルムＦ上に落下供給される。
【００３１】
また、土落とし装置６の、主としてガイド板５５により、図７に示すように、畝Ｒの左右方向中央部が溝状となり、この溝部９３に土が落とされるようになっている。
なお、土送り装置６は畝整形器４の左右方向中央部に配置しなくてもよく、また、畝整形器４の左右方向側部から土をガイド板５５上に取り込むようにしてもよい。
また、土を落とす場所は畝Ｒの左右方向中央部でなくてもよく、少なくとも畝上面の左右方向の中途部であればよい。
【００３２】
また、土送り装置６の後端側に、送られてきた土を分岐する分岐シュートを設け、この分岐シュートによって、畝の左右両側にも土を落として、該土によりマルチフィルムＦの左右両側の裾部分を被覆するようにしてもよい。
【００３３】
【発明の効果】
本発明によれば、畝立てマルチャは、爪軸に装着された耕耘爪を爪軸の軸心回りに回転させることで土を耕耘するロータリ耕耘部と、このロータリ耕耘部の後方に配置されていて畝を整形する畝整形器と、この畝整形器の後方に配置されていて整形された畝にマルチフィルムを敷設するフィルム敷設装置と、ロータリ耕耘部で耕耘された土をマルチフィルム上に送る土送り装置とを備え、土送り装置は、前端側がロータリ耕耘部で耕耘された耕土に差し込まれていると共に後方に向かうに従って上方に移行する傾斜状に設けられたガイド板と、このガイド板の上面側を後方に移送されることによりガイド板上の土を後方に搬送する移送体とを備えていて、ガイド板の後端側から畝に敷設されたマルチフィルム上に土を供給するように構成されていることにより、畝立てマルチャの前進移動により、ロータリ耕耘部で耕耘された土がガイド板上に押し上げられ、このガイド板上の土が移送体によって後方に搬送されて、マルチフィルム上に落下供給されるので、確実に一定量の土がマルチフィルム上に安定して供給するこができる。
【００３４】
また、ガイド板の上面側の土搬送空間は、ガイド板の前部側において左右両側が開放状とされ、ガイド板の後部側において左右両側が閉塞状とされていることにより、ガイド板上に押し上げられた土の内、余分な土は、ガイド板の前部側で左右側方に排出され、適量の土が後端側へと搬送することができる。
また、畝整形器は、畝の左右の側面を形成する左右の側板と、畝の上面を形成する上板とを備え、土送り装置は、左右側板間の中央部に配置され、上板は、土送り装置の左右両側に配置されていることにより、土をガイド板の後端側において低い位置でマルチフィルム上に落下させることができる。
【図面の簡単な説明】
【図１】土送り装置の側面断面図である。
【図２】畝立てマルチャの側面図である。
【図３】畝立てマルチャの要部の側面図である。
【図４】畝立てマルチャの要部の平面図である。
【図５】土送り装置の正面図である。
【図６】搬送装置の正面図である。
【図７】マルチフィルムが敷設された状態の畝の断面図である。
【符号の説明】
４　　畝整形器
５　　マルチフィルム敷設装置
６　　土送り装置
９　　ロータリ耕耘部
２０　　爪軸
２１　　耕耘爪
３８　　側板
３９　　上板
５５　　ガイド板
６６　　移送体
７４　　スプロケット
７５　　スプロケット
７６　　チェーン
８７　　土搬送空間
Ｅ　　耕土
Ｆ　　マルチフィルム
Ｒ　　畝
【図１】
2004089022.tif 000003
【図２】
2004089022.tif 000004
【図３】
2004089022.tif 000005
【図４】
2004089022.tif 000006
【図５】
2004089022.tif 000007
【図６】
2004089022.tif 000008
【図７】
2004089022.tif 000009